(57)【要約】【課題】蓄積型の測光センサを用いて適切に情報を得る測光装置を提供する。【解決手段】測光装置は、蓄積型の測光センサ１９と、測光センサ１９で得られる出力の最大値に基づいて測光センサ１９を蓄積制御する第１制御、および測光センサ１９による平均的な出力値に基づいて測光センサ１９を蓄積制御する第２制御を行う蓄積制御手段２３、２４とを備える。【選択図】図１
2008185821.tif 000002
【特許請求の範囲】
【請求項１】
蓄積型の測光センサと、
前記測光センサで得られる出力の最大値に基づいて前記測光センサを蓄積制御する第１制御、および前記測光センサによる平均的な出力値に基づいて前記測光センサを蓄積制御する第２制御を行う蓄積制御手段とを備えることを特徴とする測光装置。
【請求項２】
請求項１に記載の測光装置において、
前記蓄積制御手段は、前記第１制御および前記第２制御を択一的に切替えることを特徴とする測光装置。
【請求項３】
請求項２に記載の測光装置において、
前記蓄積制御手段は、前記第２制御の前に前記第１制御を行うことを特徴とする測光装置。
【請求項４】
請求項１〜３のいずれか一項に記載の測光装置において、
前記蓄積制御手段は、前記第１制御時は、前記出力の最大値が前記測光センサの飽和出力レベルを超えないように前記測光センサの蓄積時間およびゲインを決定し、前記第２制御時は、前記第１制御時の前記蓄積時間およびゲインに基づいて前記測光センサの平均的な出力値が所定範囲の値になるように前記測光センサの蓄積時間およびゲインを決定することを特徴とする測光装置。
【請求項５】
請求項４に記載の測光装置において、
前記蓄積制御手段は、前記第１制御時の前記測光センサの蓄積時間が所定時間より長い場合に、前記第２制御を行わないことを特徴とする測光装置。
【請求項６】
請求項４に記載の測光装置において、
前記測光センサは、光束の受光面を複数の領域に分割して該領域ごとに前記出力を得るように構成され、
前記蓄積制御手段は、前記第１制御時、前記複数の領域における前記出力どうしの差が所定値以下の場合に、前記第２制御を行わないことを特徴とする測光装置。
【請求項７】
請求項６に記載の測光装置において、
色フィルタをさらに備え、
前記測光センサの領域間の出力の差は、前記測光センサが前記色フィルタを通して受光した光束の輝度値または所定色の出力値から得ることを特徴とする測光装置。
【請求項８】
請求項１〜４のいずれか一項に記載の測光装置と、
色フィルタと、
前記第１制御で得られる前記測光センサの出力に基づく輝度情報を用いて露出制御を行い、前記色フィルタを介した光束に対して前記第２制御で得られる前記測光センサの出力に基づく輝度情報または色情報を用いて焦点検出制御を行う撮影制御手段とを備えることを特徴とする撮像装置。
【請求項９】
請求項１〜４のいずれか一項に記載の測光装置と、
撮影手段と、
色フィルタと、
前記色フィルタを介した光束に対して前記第２制御で得られる前記測光センサの出力に基づく色情報および輝度情報を用いて前記撮影手段が撮影するシーンを解析する解析手段とを備えることを特徴とする撮像装置。
【請求項１０】
請求項５または６に記載の測光装置と、
撮影手段と、
色フィルタと、
前記色フィルタを介した光束に対して前記第１制御で得られる前記測光センサの出力に基づく色情報および輝度情報を用いて前記撮影手段が撮影するシーンを解析する解析手段とを備えることを特徴とする撮像装置。
【発明の詳細な説明】
【技術分野】
【０００１】
本発明は、測光装置およびこの測光装置を有する撮像装置に関する。
【背景技術】
【０００２】
蓄積型の測光素子を用い、素子の受光面を複数の領域に分割して測光する際に、測光素子の出力の最大値が飽和せずに、かつ飽和レベルに近い値をとるように測光素子を蓄積制御するものが知られている（特許文献１参照）。
【０００３】
【特許文献１】特許第３６０１１４６号公報
【発明の開示】
【発明が解決しようとする課題】
【０００４】
同じ蓄積型の測光素子を用い、色フィルタを介した光束を受光して得られる出力に基づいて測光する対象の色情報を得ようとした時、出力の最大値を基準に蓄積制御すると、不用意に出力が低下する部分が生じ、適切な色情報が得られなくなる。
【課題を解決するための手段】
【０００５】
（１）本発明による測光装置は、蓄積型の測光センサと、測光センサで得られる出力の最大値に基づいて測光センサを蓄積制御する第１制御、および測光センサによる平均的な出力値に基づいて測光センサを蓄積制御する第２制御を行う蓄積制御手段とを備えることを特徴とする。
（２）請求項１に記載の測光装置において、蓄積制御手段は、第１制御および第２制御を択一的に切替えることが好ましい。
（３）請求項２に記載の測光装置において、蓄積制御手段は、第２制御の前に第１制御を行うことが好ましい。
（４）請求項１〜３のいずれか一項に記載の測光装置において、蓄積制御手段は、第１制御時は、出力の最大値が測光センサの飽和出力レベルを超えないように測光センサの蓄積時間およびゲインを決定し、第２制御時は、第１制御時の蓄積時間およびゲインに基づいて測光センサの平均的な出力値が所定範囲の値になるように測光センサの蓄積時間およびゲインを決定することが好ましい。
（５）請求項４に記載の測光装置において、蓄積制御手段は、第１制御時の測光センサの蓄積時間が所定時間より長い場合に、第２制御を行わないことが好ましい。
（６）請求項４に記載の測光装置において、測光センサは、光束の受光面を複数の領域に分割して該領域ごとに出力を得るように構成されるとよい。この場合の蓄積制御手段は、第１制御時、複数の領域における出力どうしの差が所定値以下の場合に、第２制御を行わないことが好ましい。
（７）請求項６に記載の測光装置はさらに、色フィルタを備えてもよい。この場合の測光センサの領域間の出力の差は、測光センサが色フィルタを通して受光した光束の輝度値または所定色の出力値から得ることが好ましい。
（８）本発明による撮像装置は、請求項１〜４のいずれか一項に記載の測光装置と、色フィルタと、第１制御で得られる測光センサの出力に基づく輝度情報を用いて露出制御を行い、色フィルタを介した光束に対して第２制御で得られる測光センサの出力に基づく輝度情報または色情報を用いて焦点検出制御を行う撮影制御手段とを備えることを特徴とする。
（９）本発明による撮像装置は、請求項１〜４のいずれか一項に記載の測光装置と、撮影手段と、色フィルタと、色フィルタを介した光束に対して第２制御で得られる測光センサの出力に基づく色情報および輝度情報を用いて撮影手段が撮影するシーンを解析する解析手段とを備えることを特徴とする。
（１０）本発明による撮像装置は、請求項５または６に記載の測光装置と、撮影手段と、色フィルタと、色フィルタを介した光束に対して第１制御で得られる測光センサの出力に基づく色情報および輝度情報を用いて撮影手段が撮影するシーンを解析する解析手段とを備えることを特徴とする。
【発明の効果】
【０００６】
本発明によれば、蓄積型の測光センサを用いて適切に情報を得ることができる。
【発明を実施するための最良の形態】
【０００７】
以下、図面を参照して本発明を実施するための最良の形態について説明する。図１は、本発明の一実施の形態による測光装置を搭載した電子カメラの要部構成を説明する図である。図１において、カメラ本体１０に対して着脱可能に構成される撮影レンズ５０が装着されている。
【０００８】
被写体からの光は、撮影レンズ５０のレンズ光学系５１および絞り５２を介してカメラ本体１０へ入射される。カメラ本体１０に入射した被写体光は、レリーズ前は破線で示すように位置するクイックリターンミラー（以下メインミラーと呼ぶ）１１で上方のファインダ部へ導かれて拡散スクリーン１４に結像する。また、カメラ本体１０に入射した被写体光の一部はサブミラー２１で下方へ反射され、測距素子２２にも入射する。測距素子２２は、撮影レンズ５０による焦点調節状態を検出する焦点検出（ＡＦ処理）時に用いられる公知の瞳分割方式のものである。
【０００９】
拡散スクリーン１４に結像した被写体光はさらに、コンデンサレンズ２０を介してペンタプリズム１５へ入射する。ペンタプリズム１５は、入射された被写体光を接眼レンズ１６へ導く一方、その一部を測光用光学系１７へも導く。測光用光学系１７へ入射された光は、測光レンズ１８を介して測光センサ１９上に被写体像を結像する。測光センサ１９は、画素に対応する複数の光電変換素子を備えたＣＣＤイメージセンサなどによって構成される。測光センサ１９は、被写体像の明るさに応じた測光処理用の光電変換信号を出力する。
【００１０】
レリーズ後はメインミラー１１が実線で示される位置へ回動し、被写体光はシャッタ１２を介して撮像素子１３へ導かれて撮像面上に被写体像を結像する。撮像素子１３は、画素に対応する複数の光電変換素子を備えたＣＣＤイメージセンサなどによって構成される。撮像素子１３は、撮像面上に結像されている被写体像を撮像し、被写体像の明るさに応じた撮影用の光電変換信号を出力する。
【００１１】
電子カメラは、撮影制御回路２５によって撮影動作が制御される。測光センサ１９は、後述する測光処理時に撮影制御回路２５からの指示を受けた測光回路２４および蓄積制御回路２３によって制御される。なお、蓄積制御回路２３、測光回路２４および撮影制御回路２５は、実際にはカメラ本体１０の内部に配設されている。
【００１２】
図２は、上述した撮影制御回路２５が行う撮影処理の流れを説明するフローチャートである。ステップＳ１１において、撮影制御回路２５は、不図示のレリーズボタンが半押し操作されたか否かを判定する。撮影制御回路２５は、半押し操作された場合にはステップＳ１１を肯定判定してステップＳ１２へ進み、半押し操作されない場合にはステップＳ１１を否定判定してステップＳ２１へ進む。
【００１３】
ステップＳ１２において、撮影制御回路２５は後述するセンサ制御マイコンへ指示を送り、測光処理を行わせてステップＳ１３へ進む。測光処理の詳細については後述する。ステップＳ１３において、撮影制御回路２５は、測距素子２２による検出信号を用いてＡＦ処理を行い、ステップＳ１４へ進む。ステップＳ１４において、撮影制御回路２５は、レリーズボタン（不図示）が全押し操作されたか否かを判定する。撮影制御回路２５は、全押し操作された場合にはステップＳ１４を肯定判定してステップＳ１５へ進み、全押し操作されない場合にはステップＳ１４を否定判定してステップＳ１１へ戻る。
【００１４】
ステップＳ１５において、撮影制御回路２５は不図示のシーケンス制御装置へ指示を送り、メインミラー１１のアップ駆動を開始させてステップＳ１６へ進む。ステップＳ１６において、撮影制御回路２５は、撮像素子１３の初期化を行ってステップＳ１７へ進む。ステップＳ１７において、撮影制御回路２５は撮像素子１３に撮影用の電荷蓄積を所定時間行わせる。なお、測光処理結果を用いた露出演算で算出された制御露出とするように、絞り５２の駆動およびシャッタ１２の走行幕駆動がシーケンス制御装置（不図示）によって行われる。撮影制御回路２５は、撮像素子１３に蓄積された電荷の掃き出しを指示してステップＳ１８へ進む。
【００１５】
ステップＳ１８において、撮影制御回路２５はシーケンス制御装置（不図示）へ指示を送り、メインミラー１１のダウン駆動を開始させてステップＳ１９へ進む。ステップＳ１９において、撮影制御回路２５は、画像を構成する電荷信号（光電変換信号）に対して所定の画像処理を行ってステップＳ２０へ進む。ステップＳ２０において、撮影制御回路２５は、画像処理後のデータを記録媒体（不図示）に記録して図２による撮影処理を終了する。
【００１６】
ステップＳ１１を否定判定して進むステップＳ２１において、撮影制御回路２５はタイムアップか否かを判定する。撮影制御回路２５は、無操作状態で所定時間が経過するとステップＳ２１を肯定判定し、図２による処理を終了する。一方、撮影制御回路２５は、所定時間が経過していない場合にはステップＳ２１を否定判定し、ステップＳ１１へ戻る。
【００１７】
以下、測光処理についてさらに詳細に説明する。
＜測光センサの構成＞
図３は、測光センサ１９を説明する図である。測光センサ１９はオプティカルブラック部１９ｂと有効画素部１９ａとを有する。オプティカルブラック部１９ｂに含まれる画素は遮光されており、センサ出力の基準となる信号を出力する。有効画素部１９ａに含まれる画素は、カラーフィルタ１９ｃ（図１）を介して受光した光電変換信号を出力する。本例では、Ｒ，Ｇ，Ｂのカラーフィルタ１９ｃをもつ画素を１画素として構成する。
【００１８】
測光センサ１９には、図１の蓄積制御回路２３および測光回路２４に対応するセンサ制御マイコンから駆動用クロック信号、電荷蓄積時間を制御する信号、および増幅利得を制御するゲイン制御信号がそれぞれ入力される。測光センサ１９は、蓄積した電荷信号（測光信号Vout）をＡ／Ｄタイミング信号に同期させて、Ａ／Ｄタイミング信号ともにセンサ制御マイコンへ出力する。測光回路２４は、測光信号VoutをＡ／Ｄ変換（アナログ信号→ディジタル信号へ変換）することにより、画素ごとの信号値を得る。
【００１９】
＜領域分割＞
図４は、測光センサ１９の領域分割を説明する図である。本実施形態では有効画素部１９ａを１５の領域に分割する例を説明する。測光回路２４は、分割した領域内の測光信号Voutから得られる輝度、または当該領域に含まれるＧ画素の信号値の平均値を算出する。一般に、逆光下の撮影や高輝度の被写体が含まれる撮影の場合、上記輝度平均値（またはＧ画素信号の平均値）は、分割領域間で大きく異なる。したがって、各領域ごとに算出した輝度またはＧ信号の平均値を分割領域間で比較した場合に所定値以上の差があれば、逆光下の撮影あるいは高輝度の被写体を含む撮影と判定することができる。
【００２０】
＜測光センサのダイナミックレンジ＞
図５(a)は、測光装置の測光範囲を説明する図である。本実施形態の電子カメラは、ＥＶ０〜ＥＶ２０の範囲を測光範囲とする。図５(b)は、測光センサ１９のダイナミックレンジを説明する図である。ＣＣＤセンサのような蓄積型の測光センサを用いる場合、そのダイナミックレンジはＡ／Ｄ変換の精度（すなわちビット長）に依存する。たとえば１０ビット長でＡ／Ｄ変換する場合のダイナミックレンジは、図５(b)のようにＥＶ値で７段程度である。この場合、ＥＶ１〜ＥＶ２０の範囲の全域について適切に輝度情報を得ることは困難であるため、測光センサ１９から取得しようとする情報に応じて測光レンジの切替えを行う。測光レンジの切替は、上述した電荷蓄積時間および増幅利得の少なくとも一方を変化させることによって切替る。
【００２１】
図６は(a)〜図６(d)は、高輝度の被写体を含む撮影シーンにおいて測光センサ１９から得られる情報を説明する図である。図６(a)は、測光信号Voutの最大値に基づいて測光レンジを決定するように「測光用センサ制御」された測光センサ１９から得られる画像（輝度情報）を例示する図である。人物の背後に位置する太陽に対応する画素信号値を最大輝度目標レベルに近づける（最大輝度目標レベルは飽和レベルより低い）ように測光レンジを決めるため、太陽領域の画素信号は飽和しないものの、人物を含む他の領域の画素信号は平均輝度レベルより小さくなる（暗すぎる）。
【００２２】
図６(b)は、測光信号Voutの平均値に基づいて測光レンジを決定するように「シーン解析用センサ制御」された測光センサ１９から得られる画像（輝度情報）を例示する図である。画面内の平均的な画素信号値を平均輝度目標レベルに近づけるように測光レンジを決めるため、太陽領域の画素信号は飽和するものの、人物を含む他の領域の画素信号は平均輝度レベルに近づく。
【００２３】
図６(c)は、上記「測光用センサ制御」した測光センサ１９から得られる画像（色情報）を例示する図である。太陽領域に色情報を有するものの、人物を含む他の領域は色情報が不足してモノクロのようになる（暗すぎる）。図６(d)は、上記「シーン解析用センサ制御」した測光センサ１９から得られる画像（色情報）を例示する図である。太陽領域は白飛びするものの、人物を含む他の領域からは色情報が得られる。
【００２４】
このように、測光センサ１９から輝度情報（輝度またはＧ信号値）を得る場合は「測光用センサ制御」が適し、測光センサ１９から色情報を得る場合は「シーン解析用制御」が適している。
【００２５】
（測光処理）
センサ制御マイコン２３、２４は、測光センサ１９の測光レンジの切替えを行うことにより、輝度情報および色情報の取得を適切に行う。図７は、センサ制御マイコン２３、２４が行う測光処理の流れを説明するフローチャートである。図７による測光処理は、図２のステップＳ１２に対応する。図７のステップＳ１において、センサ制御マイコン２３、２４は、測光センサ１９に「測光用センサ制御」による電荷蓄積を行わせてステップＳ２へ進む。
【００２６】
ステップＳ２において、センサ制御マイコン２３、２４は、Ａ／Ｄ変換後の信号値を用いた測光演算を行って輝度値を算出し、ステップＳ３へ進む。測光演算結果は、撮影制御回路２５による露出演算に使用される。ステップＳ３において、センサ制御マイコン２３、２４は、測光センサ１９に「シーン解析用センサ制御」による電荷蓄積を行わせてステップＳ４へ進む。ただし、後述する判定処理によってシーン解析用センサ制御を行わない判定がされた場合にはステップＳ３をスキップする。ステップＳ４において、センサ制御マイコン２３、２４は、シーン解析演算を行って図４による処理を終了する。
【００２７】
シーン解析演算は、測光センサ１９から得た色情報を用いて、たとえば青色部分を背景と判定したり、肌色部分を主要被写体と判定したりすることにより、上記領域分割した複数の領域の中で主要被写体が存在する領域を判定するものである。このように判定した主要被写体領域は、ＡＦ処理において焦点調節情報を検出するための領域を決定する際に使用される。
【００２８】
（測光センサ制御処理）
図８は、センサ制御マイコン２３、２４が行う測光センサ制御処理の流れを説明するフローチャートである。このフローチャートは、上記ステップＳ１およびステップＳ３を詳細に説明するものである。図８のステップＳ１０１において、センサ制御マイコン２３、２４は、電源投入時か否かを判定する。センサ制御マイコン２３、２４は、電源投入後１回目の処理である場合にステップＳ１０１を肯定判定してステップＳ１０２へ進み、電源投入後１回目の処理でない場合にはステップＳ１０１を否定判定してステップＳ１０３へ進む。
【００２９】
ステップＳ１０２において、センサ制御マイコン２３、２４は、測光センサ１９の初期化を行ってステップＳ１０３へ進む。ステップＳ１０３において、センサ制御マイコン２３、２４は実行フラグオンか否かを判定する。センサ制御マイコン２３、２４は、実行フラグがオンの場合にステップＳ１０３を肯定判定してステップＳ１１３へ進み、実行フラグがオフの場合にはステップＳ１０３を否定判定してステップＳ１０４へ進む。実行フラグは、後述する「シーン解析用制御実行判定」処理においてセットされる。
【００３０】
ステップＳ１０４において、センサ制御マイコン２３、２４はカウント値を＋１してステップＳ１０５へ進む。このカウンタは、「測光用センサ制御」による測光センサ１９の蓄積回数をカウントするものである。ステップＳ１０５において、センサ制御マイコン２３、２４は、測光センサ１９を「測光用センサ制御」によって電荷蓄積させてステップＳ１０６へ進む。なお、１回目の電荷蓄積時間および増幅利得は、それぞれあらかじめ定められている標準時間および標準利得を用いる。これらの値は、センサ制御マイコン２３、２４内の不揮発性メモリ（不図示）に格納されている。ステップＳ１０６において、センサ制御マイコン２３、２４は、測光センサ１９から測光信号Voutを読み出してステップＳ１０７へ進む。
【００３１】
ステップＳ１０７において、センサ制御マイコン２３、２４は、Ａ／Ｄ変換後の信号値についてのデータ有効性を判定してステップＳ１０８へ進む。センサ制御マイコン２３、２４は、(1)データが測光センサ１９の異常による出力飽和を示す場合、(2)データが許容最大輝度を超える場合、(3)データが許容最小輝度（ノイズの影響を容認できない低輝度状態）に満たない場合のいずれかに該当する場合に「データ有効性なし」を判定する。一方センサ制御マイコン２３、２４は、上記(1)〜(3)のいずれにも該当しなければ「データ有効性あり」を判定する。
【００３２】
ステップＳ１０８において、センサ制御マイコン２３、２４は、次回の電荷蓄積時間および次回の増幅利得を算出し、ステップＳ１０９へ進む。センサ制御マイコン２３、２４は、図６(a)に例示したように、ステップＳ１０６で読み出したデータの最大値を最大輝度目標レベルに近づける（最大輝度目標レベルは飽和レベルより低い）ように蓄積時間および増幅利得を決定する。
【００３３】
ステップＳ１０９において、センサ制御マイコン２３、２４は、やり直し判定を行ってステップＳ１１０へ進む。センサ制御マイコン２３、２４は、「データ有効性なし」が判定されている、またはカウント値が所定値未満の場合に「やり直し」を判定する。一方センサ制御マイコン２３、２４は、「データ有効性あり」が判定されている、またはカウント値が所定値を超えている場合に「やり直し」を判定しない。
【００３４】
ステップＳ１１０において、センサ制御マイコン２３、２４は、やり直しを判定している場合にステップＳ１１０を肯定判定してステップＳ１０４へ戻る。この場合、「測光用センサ制御」による電荷蓄積を繰り返す。センサ制御マイコン２３、２４は、やり直しを判定していない場合にはテップＳ１１０を否定判定してステップＳ１１１へ進む。ステップＳ１１１へ進む場合は、蓄積回数をカウントするための上記カウンタをリセットする。
【００３５】
ステップＳ１１１において、センサ制御マイコン２３、２４は、測光演算に必要な補正係数を算出してステップＳ１１２へ進む。ステップＳ１１２において、センサ制御マイコン２３、２４は、「シーン解析用制御実行判定」を行ってステップＳ１０３へ戻る。シーン解析用制御実行判定の詳細については後述する。
【００３６】
ステップＳ１０３を肯定判定して進むステップＳ１１３において、センサ制御マイコン２３、２４はシーン解析用制御する場合の電荷蓄積時間および増幅利得を算出し、ステップＳ１１４へ進む。センサ制御マイコン２３、２４は、図６(b)に例示したように、ステップＳ１０６で読み出したデータの平均的な値を平均輝度目標レベルに近づけるように蓄積時間および増幅利得を決定する。なお、「データの平均的な値」は、後述する「シーン解析用制御実行判定」処理において算出した値を用いる。
【００３７】
ステップＳ１１４において、センサ制御マイコン２３、２４は、測光センサ１９を「シーン解析用制御」によって電荷蓄積させてステップＳ１１５へ進む。ステップＳ１１５において、センサ制御マイコン２３、２４は、測光センサ１９から測光信号Voutを読み出してステップＳ１１６へ進む。
【００３８】
ステップＳ１１６において、センサ制御マイコン２３、２４は、Ａ／Ｄ変換後の信号値についてのデータ有効性を判定してステップＳ１１７へ進む。センサ制御マイコン２３、２４は、データが測光センサ１９の異常による出力飽和を示す場合に「データ有効性なし」を判定する。一方センサ制御マイコン２３、２４は、上記出力飽和に該当しなければ「データ有効性あり」を判定する。
【００３９】
ステップＳ１１７において、センサ制御マイコン２３、２４は実行フラグをオフにしてステップＳ１０３へ戻る。
【００４０】
（シーン解析用制御実行判定処理）
図９は、センサ制御マイコン２３、２４が行うシーン解析用制御実行判定処理の流れを説明するフローチャートである。図９による処理は、図８のステップＳ１１２に対応する。図９のステップＳ２０１において、センサ制御マイコン２３、２４は、測光センサ１９の領域分割された領域ごとに輝度平均値を算出してステップＳ２０２へ進む。分割領域ごとに算出する理由は、画素単位で輝度差を算出する場合と比べて、分割領域間で輝度差を算出する方が信号に含まれているノイズの影響や画素欠陥が生じている場合の異常値の影響を受けにくくなるからである。なお、分割領域ごとの輝度平均値を算出する代わりにＧ色信号の平均値を算出してもよい。
【００４１】
ステップＳ２０２において、センサ制御マイコン２３、２４は、各分割領域における最大輝度および最小輝度を算出してステップＳ２０３へ進む。ステップＳ２０３において、センサ制御マイコン２３、２４は、次式（１）を用いて分割領域間の対数化した輝度差ｄＢｖを算出する。
ｄＢｖ＝Log２(ＢｖMax／ＢｖMin)                    （１）
ただし、ｄＢｖは分割領域間の輝度差であり、ＢｖMaxは分割領域の最大輝度であり、ＢｖMinは分割領域の最小輝度である。
【００４２】
ステップＳ２０４において、センサ制御マイコン２３、２４は、分割領域間の輝度差＞所定の閾値が成立するか否かを判定する。センサ制御マイコン２３、２４は、輝度差＞所定閾値が成立する場合にステップＳ２０４を肯定判定してステップＳ２０５へ進み、輝度差＞所定閾値が成立しなければステップＳ２０４を否定判定してステップＳ２０７へ進む。ステップＳ２０４へ進む場合は、上述した逆光下の撮影あるいは高輝度の被写体を含む撮影の可能性がある。ステップＳ２０７へ進む場合は、高輝度の被写体が含まれていないことから、「測光用センサ制御」による測光センサ１９の信号値から色情報も得られる。なお、所定の判定閾値は、センサ制御マイコン２３、２４内の不揮発性メモリ（不図示）にあらかじめ格納されている。
【００４３】
ステップＳ２０５において、センサ制御マイコン２３、２４は、測光用センサ制御時の電荷蓄積時間＜所定時間が成立するか否かを判定する。センサ制御マイコン２３、２４は、電荷蓄積時間＜所定時間が成立する場合にステップＳ２０５を肯定判定してステップＳ２０６へ進み、電荷蓄積時間＜所定時間が成立しなければステップＳ２０５を否定判定してステップＳ２０７へ進む。ステップＳ２０６へ進む場合は、シーン解析用センサ制御による電荷蓄積に必要な時間が確保されている場合である。ステップＳ２０７へ進む場合は、測光用センサ制御による電荷蓄積に時間がかかり、シーン解析用センサ制御による電荷蓄積に必要な時間が不足する場合である。なお、所定時間は、センサ制御マイコン２３、２４内の不揮発性メモリ（不図示）にあらかじめ格納されている。
【００４４】
ステップＳ２０６において、センサ制御マイコン２３、２４は、実行フラグをオンにして図９による処理を終了する。この実行フラグがオンの場合、測光センサ制御処理（図８）において、測光用センサ制御による電荷蓄積に続いてシーン解析用制御による電荷蓄積を行う。ステップＳ２０７において、センサ制御マイコン２３、２４は、実行フラグをオフにして図９による処理を終了する。この実行フラグがオフの場合、測光センサ制御処理（図８）において、測光用センサ制御による電荷蓄積を行うのみでシーン解析用制御による電荷蓄積は行わない。
【００４５】
以上説明した実施形態によれば、次の作用効果が得られる。
（１）蓄積型の測光センサ１９に対し、測光信号Voutの最大値に基づくAGC(Auto Gain Control)で測光レンジを決定する「測光用センサ制御」と、測光信号Voutの平均値に基づくAGCで測光レンジを決定する「シーン解析用センサ制御」とを行うようにしたので、最大輝度に関する情報が欲しい場合、および平均輝度に関する情報が欲しい場合の双方で適切に情報を得ることができる。
【００４６】
（２）「測光用センサ制御」および「シーン解析用センサ制御」を択一的に切替えたので、測光センサ１９を複数備えることなしに上記適切な情報を得ることができる。
【００４７】
（３）「測光用センサ制御」を「シーン解析用センサ制御」より前に行うようにしたので、「測光用センサ制御」で得た情報を「シーン解析用センサ制御」するか否かの判定材料として用いることができる。
【００４８】
（４）「測光用センサ制御」における電荷蓄積時間が長い（ステップＳ２０５を否定判定）場合に「シーン解析用センサ制御」を省略すれば、両方のセンサ制御を行う場合に比べて測光処理に要する時間を短縮することができる。
【００４９】
（５）「測光用センサ制御」における分割領域間の出力差が小さい（ステップＳ２０４を否定判定）場合に「シーン解析用センサ制御」を省略すれば、両方のセンサ制御を行う場合に比べて測光処理に要する時間を短縮することができる。
【００５０】
（６）上記（５）の出力差はカラーフィルタ１９ｃを介して得た輝度またはＧ信号の平均値の平均値から求めたので、逆光下の撮影あるいは高輝度の被写体を含む撮影の判定に好適である。逆光下あるいは高輝度の被写体を含む撮影と判定した場合は、平均輝度に関する情報を得るために「シーン解析用センサ制御」を行う。「シーン解析用センサ制御」によってカラーフィルタ１９ｃを介して得られる情報からは、高輝度でない領域についての色情報を白飛びなどすることなく得ることができる。
【００５１】
（７）「測光用センサ制御」した測光センサ１９の出力値（最大輝度に関する情報）を用いて露出演算を行い、「シーン解析用センサ制御」した測光センサ１９の出力値（平均輝度に関する情報）を用いて主要被写体が存在する領域を判定し、該領域を対象にＡＦ処理時の焦点調節情報を取得するようにした。これにより、全ての領域を対象にＡＦ処理時の焦点調節情報を取得する場合に比べて、処理の負担や時間を軽減できる。
【００５２】
（８）「シーン解析用センサ制御」を省略した場合は「測光用センサ制御」した測光センサ１９の出力値（最大輝度に関する情報）を用いて主要被写体が存在する領域を判定し、該領域を対象にＡＦ処理時の焦点調節情報を取得するようにした。これにより、「シーン解析用センサ制御」を省略した場合にも、全ての領域を対象にＡＦ処理時の焦点調節情報を取得しなくてすむ。
【００５３】
以上の説明はあくまで一例であり、上記の実施形態の構成に何ら限定されるものではない。たとえば、上述した測光装置を備えるカメラであれば電子カメラでもフィルムカメラでもよく、一眼レフタイプと異なるカメラに適用しても構わない。
【図面の簡単な説明】
【００５４】
【図１】本発明の一実施の形態による測光装置を搭載した電子カメラの要部構成を説明する図である。
【図２】撮影制御回路が行う撮影処理の流れを説明するフローチャートである。
【図３】測光センサを説明する図である。
【図４】測光センサの領域分割を説明する図である。
【図５】(a)は測光装置の測光範囲を説明する図、(b)は測光センサのダイナミックレンジを説明する図である。
【図６】(a)は「測光用センサ制御」で得られる画像（輝度情報）を例示する図、(b)は「シーン解析用センサ制御」で得られる画像（輝度情報）を例示する図、(c)は「測光用センサ制御」で得られる画像（色情報）を例示する図、(d)は「シーン解析用センサ制御」で得られる画像（色情報）を例示する図である。
【図７】センサ制御マイコンが行う測光処理の流れを説明するフローチャートである。
【図８】センサ制御マイコンが行う測光センサ制御処理の流れを説明するフローチャートである。
【図９】センサ制御マイコンが行うシーン解析用制御実行判定処理の流れを説明するフローチャートである。
【符号の説明】
【００５５】
１０…カメラ本体
１２…シャッタ
１３…撮像素子
１９…測光用センサ
１９ｃ…カラーフィルタ
２３、２４…センサ制御マイコン
２５…撮影制御回路
【図１】
2008185821.tif 000003
【図２】
2008185821.tif 000004
【図３】
2008185821.tif 000005
【図４】
2008185821.tif 000006
【図５】
2008185821.tif 000007
【図６】
2008185821.tif 000008
【図７】
2008185821.tif 000009
【図８】
2008185821.tif 000010
【図９】
2008185821.tif 000011